(57)【要約】      （修正有）【課題】永久磁石を利用して、サイズや向きの異なるスマートフォンを浴室壁面に保持すると共に、スマートフォンへの磁気の影響を極力抑え、水回りでも錆びずに使用できるスマートフォンホルダを提供する。【解決手段】本考案に係るスマートフォンホルダは左右の部品形状が略対象の樹脂製のホルダ左部Ａ１とホルダ右部Ａ２の２部品から構成されており、ホルダ左部Ａ１とホルダ右部Ａ２でスマートフォンを挟み込む様に保持し、各ホルダ背面には異方性のフェライトボンド磁石Ｂ１、Ｂ２が壁との吸着面Ｂ１１が外面に向くよう配置され、磁石の吸着力によって浴室の壁面にスマートフォンを保持する事を可能とする。【選択図】図３
0003215742.tif 000002
【実用新案登録請求の範囲】
【請求項１】
背面に永久磁石を備え、側面２面とその面に繋がる前面に落下防止の掛かり代を持つ左右一対の２部品から構成され、スマートフォンの画面の両側又は対角からそれぞれスマートフォンを保持し、背面側を磁石の磁気で壁面に固定し、スマートフォン画面を壁面と略並行に向け保持する事を特徴とするスマートフォンホルダ。
【請求項２】
背面に永久磁石を備え、正面又は側面側にスマートフォンを保持し、背面側を磁石の磁気で壁面に固定するスマートフォンホルダであって、磁石にフェライトボンド磁石を使用し浴室などの水回りで使用する事を特徴とするスマートフォンホルダ。
【請求項３】
背面に永久磁石を備え、正面又は側面側にスマートフォンを保持し、背面側を磁石の磁気で壁面に固定するスマートフォンホルダであって、磁石に異方性ボンド磁石を使用しスマートフォンへの磁気の影響を抑えた事を特徴とする請求項２記載のスマートフォンホルダ。
【考案の詳細な説明】
【技術分野】
【０００１】本考案は磁石の磁気を利用して鋼板製の浴室壁面にサイズの異なるスマートフォンを保持する機能を持つスマートフォンホルダに関する。
【背景技術】
【０００２】現在の家庭用浴室の壁面には鋼板が使われている事があり磁石が付く事がある。【０００３】従来浴室壁面へ取り外し可能な状態で器具を固定する方法では吸盤が用いられる事があるが、吸盤の固定では時間経過によって吸盤内に空気が入り、固定した器具が落下する事がある。【０００４】最近では防水機能を持つスマートフォンが広く使われるようになり、浴室内でスマートフォンを利用する場面がある。【０００５】スマートフォンの形状は長方形の板形状が一般的であるが、機種によってサイズが同一では無く、また利用場面によっては画面の長手方向を上下にして使用する場合と、画面の短手方向を上下にして使用する場面がある。【０００６】浴室以外では実用新案登録第３１７４４３３号のようなスマートフォンスタンドが一般的で良く利用されている。また実用新案登録第３０７６９２９号では、磁石を使って携帯電話と自動車を保持しているが、携帯電話側に鉄板を追加して、磁石で携帯電話を保持している。しかし自動車への取り付けには別の接着方法を利用している。【０００７】永久磁石にはフェライト磁石の他多数の種類があるが、ネオジム磁石など磁石の種類によっては赤錆が発生する恐れがある。【０００８】永久磁石には固形のセラミック製の磁石とゴムなどの樹脂で固めたボンド磁石があるが、セラミック製の磁石は衝撃によって割れやすく、また塗装壁面などへの利用では相手側の塗装を傷付ける恐れがある。【０００９】近年のスマートフォンは、地磁気センサーなどの磁気を利用する電子部品が組み込まれている事が一般的であり、強い磁気が近くにあるとその影響を受け誤作動する恐れがある。
【先行技術文献】
【実用新案文献】
【００１０】
【実用新案文献１】
実用新案登録第３１７４４３３号公報
【実用新案文献２】
実用新案登録第３０７６９２９号公報
【考案の概要】
【考案が解決しようとする課題】
【００１１】本考案が解決しようとする課題は、永久磁石を利用して、サイズや向きの異なるスマートフォンを浴室壁面に付け外しが簡単で適切な方向で保持すると共に、スマートフォンへの磁気の影響を極力抑え、水回りでも錆びずに使用できるスマートフォンホルダを提供する事にある。
【課題を解決するための手段】
【００１２】上記課題を解決する為、本考案は背面に異方性のフェライトボンド磁石を備え、側面の２面に落下防止の掛かり代を持つ左右一対の２部品から構成され、スマートフォンの画面の両側、又は対角からそれぞれスマートフォンを保持し、背面側を磁石の磁気で壁面に固定し、スマートフォン画面を壁面と略並行に向け保持する事を特徴とする。
【考案の効果】
【００１３】本考案のスマートフォンホルダは永久磁石で鋼板を使用している浴室壁面に磁石の吸着力により吸着する為、磁石の吸着力以上の力を加える事で自在に取り外しや移動ができ、また吸盤のように時間と共に落下する事はない。また本考案のスマートフォンホルダは側面の２面に落下防止の掛かり代を持つ左右で分割された２部品から構成されているため、スマートフォンを両側から挟み込む、又はスマートフォンを対角から挟み込む事によって、サイズの異なるスマートフォンに対応する事が出来、また縦横自在な方向にて利用できる利点がある。【００１４】磁石にはフェライトボンド磁石を使用する事により、浴室内のような高湿で、水のかかる恐れがある環境でも磁石に錆が発生せず、また浴室壁面を傷つけにくい利点がある。【００１５】磁石には磁気の定着方法によって等方性磁石と異方性磁石があり、一般的に等方性磁石に比べ異方性磁石の方が同一面積当たりの吸着力が大きく、また磁気による影響の方向を指定できるため吸着面以外への磁気の影響を少なくできる利点があり、本考案のスマートフォンホルダには異方性のフェライトボンド磁石を用いる事で、ボンド磁石の使用面積を抑え吸着面側に比べて、スマートフォン側への磁気の影響を抑える事が期待できる。
【図面の簡単な説明】
【００１６】
【図１】スマートフォンホルダの正面図である。
【図２】スマートフォンホルダの正面上部からの斜視図である。
【図３】スマートフォンホルダの背面上部からの斜視図である。
【図４】スマートフォンホルダの分解図である。
【図５】スマートフォンの短手方向を上下にして使用した時の正面図である。
【図６】スマートフォンの短手方向を上下にして使用した時の斜視図である。
【図７】スマートフォンの長手方向を上下にして使用した時の正面図である。
【図８】スマートフォンの長手方向を上下にして使用した時の斜視図である。
【図９】サイズの小さいスマートフォンを使用した時の正面図である。
【図１０】サイズの大きいスマートフォンを使用した時の正面図である。
【考案を実施するための形態】
【００１７】本考案の実施の形態を、図面を参照しつつ説明する。図面は本考案の実施形態の一例に関するものである。なお各図面において、同じ符号を付した部材、形状は同一又は類似の構成のものでありこれらについての重複説明は適宜省略する。
【００１８】図１に示す通り本考案に係るスマートフォンホルダは、ほぼ対象形状の樹脂製ホルダ、ホルダ左部Ａ１とホルダ右部Ａ２の二部品から構成されている。
【００１９】図３に示す通りホルダ左部Ａ１とホルダ右部Ａ２の背面にはそれぞれボンド磁石左部Ｂ１とボンド磁石右部Ｂ２が吸着面Ｂ１１が背面に向くよう配置されている。
【００２０】図２はスマートフォンを短手方向を上下にして利用する場合の代表的な使い方の斜視図である。ホルダ左部Ａ１を左側、ホルダ右部Ａ２を右側にして浴室などの壁面にボンド磁石の磁気を利用して略水平に貼り付ける。
【００２１】図２に示す通りホルダ右部Ａ２は下面にスマートフォンの厚みより大きい壁側壁右部Ｃ２と右側面に壁右部Ｄ２が配置され、前記Ｃ２と前記Ｄ２に繋がる前面にスマートフォンの落下防止として機能する掛かり代右部Ｅ２が設けられている。前記Ｅ２はスマートフォンを保持できる最小サイズに抑えられており、前面の左上部はスマートフォンの画面を遮らないよう壁が無い空間を持つ。
【００２２】図２に示す通りホルダ左部Ａ１は下面にスマートフォンの厚みより大きい側壁左部Ｃ１と左側面に壁左部Ｄ１が配置され、前記Ｃ１と前記Ｄ１に繋がる前面にスマートフォンの落下防止として機能する掛かり代左部Ｅ１が設けられている。前記Ｅ１はスマートフォンを保持できる最小サイズに抑えられており、前面の右上部はスマートフォンの画面を遮らないよう壁が無い空間を持つ。
【００２３】図５及び図６は一般的なサイズのスマートフォンＦを短手方向を上下にして利用した図である。ホルダ左部Ａ１とホルダ右部Ａ２によって形成される空間に前記Ｆを差し入れる事で、スマートフォンを浴室の壁面と短手方向を上下にして略並行に向けて保持する事ができる。
【００２４】図７及び図８は一般的なサイズのスマートフォンＦを長手方向を上下にして利用した図である。ホルダ右部Ａ２を前記Ｆ対して左下部に配置し、ホルダ左部Ａ１を前記Ｆに対して右上部側に配置する事で、スマートフォンを浴室の壁面と長手方向を上下にして略並行に向けて保持する事ができる。
【００２５】図９は画面サイズが小さめなスマートフォンＧを短手方向を上下にして利用する場合の正面図である。
【００２６】図１０は画面サイズが大きめなスマートフォンＨを短手方向を上下にして利用する場合の正面図である。
【００２７】ホルダ左部Ａ１とホルダ右部Ａ２は貼り付け面に対して自在に移動できる為、前記Ａ１と前記Ａ２の間隔を調整する事によって、図９、図１０に示すように、サイズの異なるスマートフォンも一般的なサイズのスマートスマートフォンＦと同様に保持する事ができる。
【００２８】上記の実施形態はホルダ左部Ａ１とホルダ右部Ａ２がほぼ対象の部品として記述したが、全く同一の形状、或は異なった形状がであっても同様の効果が期待できる。また前記Ａ１と前記Ａ２の壁への設置位置を入れ替え、壁左部Ｄ１と壁右部Ｄ２をスマートフォン下面を支える様に設置しても同様の効果を得る事が出来る。また上記の実施形態は前記Ａ１と前記Ａ２の２つのパーツでスマートフォンを保持する使用法を記述したが、同様の部品を３つ又は４つ使用してスマートフォンの角を保持しても同様の効果が期待できる。
【００２９】以上、本考案の一実施例について説明したが、本考案は上記実施例に限定されるものではなく適宜変更実施可能とする。
【符号の説明】
【００３０】Ａ１  ホルダ左部
Ａ２  ホルダ右部
Ｂ１  ボンド磁石左部
Ｂ２  ボンド磁石右部
Ｃ１  側壁左部
Ｃ２  側壁右部
Ｄ１  壁左部
Ｄ２  壁右部
Ｅ１  掛かり代左部
Ｅ２  掛かり代右部
Ｆ    一般的なサイズのスマートフォン
Ｇ    小さめなサイズのスマートフォン
Ｈ    大きめなサイズのスマートフォン
Ｂ１１  吸着面
【図１】
0003215742.tif 000003
【図２】
0003215742.tif 000004
【図３】
0003215742.tif 000005
【図４】
0003215742.tif 000006
【図５】
0003215742.tif 000007
【図６】
0003215742.tif 000008
【図７】
0003215742.tif 000009
【図８】
0003215742.tif 000010
【図９】
0003215742.tif 000011
【図１０】
0003215742.tif 000012